(57)【要約】【課題】体腔内で屈曲状態になってもコイル素線間が隙間を生じて開いて長尺化したり、曲げによる引張り荷重が生じたりせず、さらに、超音波三次元エコー下における明瞭な超音波画像を描出させることを可能としたシース体を備える医療用処置具を提供することを目的とする。【解決手段】シース体５が、断面形状が略三角形である複数の素線７、８が交互に隣接して、隣接する素線同士の三角形の頂点位置が内径側・外径側の交互になるように螺巻きされるとともに、隣接する素線７、８の三角形の斜辺同士が当接した相互隣接縁９を有する異形密着コイル構造を有する。そして、医療用処置具１は、屈曲させると、隣接する素線７、８の三角形の斜辺同士が当接した相互隣接縁９で、斜辺同士が相対滑りを生じて変形する。【選択図】図１
2008048850.tif 000002
【特許請求の範囲】
【請求項１】
先端に設けられた処置部と、
手元に設けられた操作部と、
前記処置部と前記操作部とを連結する芯材と、
前記芯材が挿通した細長可撓性のシース体と
を備える医療用処置具において、
前記シース体は、断面形状が略三角形である複数の素線が交互に隣接して、隣接する前記素線同士の前記三角形の頂点位置が内径側・外径側の交互になるように螺巻きされるとともに、隣接する前記素線の前記三角形の斜辺同士が当接した相互隣接縁を有する異形密着コイル構造を有し、
屈曲時に、前記相互隣接縁を前記シース体の径方向に相対滑り自在にしたことを特徴とする医療用処置具。
【請求項２】
先端に設けられた処置部と、
手元に設けられた操作部と、
前記処置部と前記操作部とを連結する芯材と、
前記芯材が挿通した細長可撓性のシース体と
を備える医療用処置具において、
前記シース体は、断面形状が略台形である複数の素線が交互に隣接して、隣接する前記素線同士の前記台形の上底の短辺位置が内径側・外径側の交互になるように螺巻きされるとともに、隣接する前記素線の前記台形の斜辺同士が当接した相互隣接縁を有する異形密着コイル構造を有し、
屈曲時に、前記相互隣接縁を前記シース体の径方向に相対滑り自在にしたことを特徴とする医療用処置具。
【請求項３】
先端に設けられた処置部と、
手元に設けられた操作部と、
前記処置部と前記操作部とを連結する芯材と、
前記芯材が挿通した細長可撓性のシース体と
を備える医療用処置具において、
前記シース体は、断面形状が略台形である素線と断面形状が略三角形である素線とが交互に隣接して、隣接する前記素線同士の前記台形の上底の短辺位置と前記三角形の頂点位置とが内径側・外径側の交互になるように螺巻きされるとともに、隣接する前記素線の斜辺同士が当接した相互隣接縁を有する異形密着コイル構造を有し、
屈曲時に、前記相互隣接縁を前記シース体の径方向に相対滑り自在にしたことを特徴とする医療用処置具。
【請求項４】
請求項１または請求項２に記載の医療用処置具において、
前記複数の素線の断面形状がそれぞれに相似していることを特徴とする医療用処置具。
【請求項５】
請求項１または請求項２に記載の医療用処置具において、
前記複数の素線の断面形状が同一であることを特徴とする医療用処置具。
【請求項６】
請求項１ないし請求項３のいずれか１つに記載の医療用処置具において、
前記各素線は、断面形状に二等辺斜辺を有し、両斜辺傾斜角度が４５度であることを特徴とする医療用処置具。
【請求項７】
請求項１ないし請求項６のいずれか１つに記載の医療用処置具において、
前記処置部は、前記操作部による前記芯材のプッシュ・プル操作によって開閉作動される生検カップであることを特徴とする生体組織採取構造の医療用処置具。
【請求項８】
請求項１ないし請求項６のいずれか１つに記載の医療用処置具において、
前記処置部は、前記操作部による前記芯材のプル操作によって縮径作動される生体組織緊縛用ループ部であることを特徴とする内視鏡用処置具構造の医療用処置具。
【請求項９】
請求項１ないし請求項６のいずれか１つに記載の医療用処置具において、
前記処置部は、前記操作部による前記芯材のプル操作によって生体組織へ前記シース体内に収容されたクリップを留置するクリップ留置部であることを特徴とする多機能外科用器具構造の医療用処置具。
【請求項１０】
請求項１ないし請求項６のいずれか１つに記載の医療用処置具において、
前記処置部は、前記操作部による回転操作によって前記芯材の張力を調整して可変作動される内視鏡アングル可変部であることを特徴とする内視鏡構造の医療用処置具。
【請求項１１】
請求項１ないし請求項６のいずれか１つに記載の医療用処置具において、
前記シース体内にセンサを内蔵したことを特徴とするセンサ付きガイドワイヤ構造の医療用処置具。
【請求項１２】
請求項１ないし請求項６のいずれか１つに記載の医療用処置具において、
前記シース体は、異形密着コイル構造を有する先端側ゾーンと、該先端側ゾーンの手元側に直列連結した中空撚線コイル構造を有する手元側ゾーンとからなる２ゾーン形態であることを特徴とする医療用処置具。
【請求項１３】
請求項１ないし請求項６のいずれか１つに記載の医療用処置具において、
前記シース体は、異形密着コイル構造を有する先端側ゾーンと、該先端側ゾーンの手元側に直列連結した中空撚線コイル構造を有する中間ゾーンと、該中間ゾーンの手元側に直列連結した中空管構造を有する手元側ゾーンとからなる３ゾーン形態であることを特徴とする医療用処置具。
【発明の詳細な説明】
【技術分野】
【０００１】
本発明は、体腔内に挿入して生体採取等の所定の治療を行う内視鏡用処置具・内視鏡用生検鉗子・多機能外科用器具等の体腔内治療用の医療用処置具に関するものである。
【背景技術】
【０００２】
体腔内治療用の医療用処置具は、曲がりくねった細い血管内に挿入して体外に位置する手元側の操作部で押し・引き・回転等の手動操作を行うことにより、先端の処置部を作動させ所要の体腔内治療を施すものであり、先端に設けられた処置部と、手元に設けられた操作部と、処置部と操作部とを連結する芯材と、芯材が挿通した細長可撓性のシース体とからなる。
【０００３】
従来、医療用処置具では、シース体が、断面形状が円形の単線を所要径に密着コイル巻きした単線密着コイル構造を有している。例えば、特許文献１の医療処置具は、単素線の密着巻き長尺コイル構造のシース体に芯材を内挿した構造を特徴としており、特許文献２の内視鏡用鉗子、特許文献３の内視鏡用処置具、特許文献４の多機能外科用器具はいずれもシース体が単素線の密着巻きコイル構造となっている。
【０００４】
しかし、この従来のシース体では、曲がりくねった血管へ長尺のシース体を挿入すると、曲げ部位のシース体は、曲げによる引張り荷重を生ずる曲げ外側のコイル素線が曲げ外力に応じて素線間の隙間を生じて曲がり変形し、その曲げ引張り応力を保持したまま変形する。また、曲げによる圧縮荷重を生ずる曲げ内側のコイル素線は曲げ圧縮応力を保持したまま素線密着状態で曲げ変形する。
このため、シース体の曲げ部位には常にストレート形態への復元応力が存在しているので、その復元力によって血管壁へ強く圧接した状態となって血管壁の損傷をもたらすとともに、シース体の挿入前進性を阻害する。
【０００５】
さらに、シース体中心線の曲げ中立線が曲げ変形によって伸長変形してシース体の長尺化変形を必然的に生ずる。従って、そのシース体の中空部を挿通する芯材は有効作動長が変化するとともに、強い引張り荷重を生ずるので、体腔内挿入中の処置部に有害な作動力を生じたり、操作部による芯材の押し・引き・回転等の操作性を阻害して治療性を損ったりする難点がある。
【０００６】
【特許文献１】特開２００１−０１７３８６公報
【特許文献２】特開２００２−０１１０１７公報
【特許文献３】特開平１０−２９０８０３号公報
【特許文献４】特開２００２−２８２２６１公報
【発明の開示】
【発明が解決しようとする課題】
【０００７】
本発明は、上記の問題点を解決するためになされたものであり、体腔内で屈曲状態になっても長尺化を生じないと共に、曲げによる引張り荷重が生じず、さらに、超音波三次元エコー下における明瞭な超音波画像を描出させることを可能としたシース体を備える医療用処置具を提供することを目的とする。
【課題を解決するための手段】
【０００８】
〔請求項１の手段〕
請求項１に記載の医療用処置具では、先端に設けられた処置部と、手元に設けられた操作部と、処置部と操作部とを連結する芯材と、芯材が挿通した細長可撓性のシース体とを備える医療用処置具において、シース体は、断面形状が略三角形である複数の素線が交互に隣接して、隣接する素線同士の三角形の頂点位置が内径側・外径側の交互になるように螺巻きされるとともに、隣接する素線の三角形の斜辺同士が当接した相互隣接縁を有する異形密着コイル構造を有し、屈曲時に、相互隣接縁をシース体の径方向に相対滑り自在にした。
【０００９】
すなわち、この医療用処置具のシース体は密着コイル構造を有するが、その密着コイル構造は通常の円径断面の単素線を螺旋巻きした密着コイル構造ではなく、三角形断面の複数の素線を交互に組み合わせた異形密着コイル構造であり、屈曲時に隣接する素線同士が相対滑りして変形することが特色となっている。尚、「異形」とは、通常の形状とは異なるの意であり、「密着コイル構造」とはストレート状態（無負荷状態）で隣接する素線間に隙間なく螺巻き形成されたコイル構造のことである。
これによれば、体腔内で屈曲状態になっても、素線同士の相対滑りにより変形するため、素線間の隙間を生じることがなく、曲げによるシース体の長尺化も生じない。また、超音波三次元エコー下で明瞭な超音波画像を得るためには、シース体外周面に凹部（反射エコー部）を加工することが望ましいが、請求項１の医療用処置具では、素線同士の相対滑りによりシース体外周に凹凸が生じてその凹部が反射エコー部となるため、シース体外周に予め凹形状の加工をする必要がない。
【００１０】
〔請求項２の手段〕
請求項２に記載の医療用処置具では、先端に設けられた処置部と、手元に設けられた操作部と、処置部と操作部とを連結する芯材と、芯材が挿通した細長可撓性のシース体とを備える医療用処置具において、シース体は、断面形状が略台形である複数の素線が交互に隣接して、隣接する素線同士の台形の上底の短辺位置が内径側・外径側の交互になるように螺巻きされるとともに、隣接する素線の台形の斜辺同士が当接した相互隣接縁を有する異形密着コイル構造を有し、屈曲時に、相互隣接縁をシース体の径方向に相対滑り自在にした。
これによれば、上記した請求項１と同様の効果を得ることができる。
【００１１】
〔請求項３の手段〕
請求項３に記載の医療用処置具では、先端に設けられた処置部と、手元に設けられた操作部と、処置部と操作部とを連結する芯材と、芯材が挿通した細長可撓性のシース体とを備える医療用処置具において、シース体は、断面形状が略台形である素線と断面形状が略三角形である素線とが交互に隣接して、隣接する素線同士の台形の上底の短辺位置と三角形の頂点位置とが内径側・外径側の交互になるように螺巻きされるとともに、隣接する素線の斜辺同士が当接した相互隣接縁を有する異形密着コイル構造を有し、屈曲時に、相互隣接縁をシース体の径方向に相対滑り自在にした。
これによれば、上記した請求項１と同様の効果を得ることができる。
【００１２】
〔請求項４の手段〕
請求項４に記載の医療用処置具では、複数の素線の断面形状がそれぞれに相似している。
異形密着コイル構造をなす複数の素線の一態様である。
【００１３】
〔請求項５の手段〕
請求項５に記載の医療用処置具では、複数の素線の断面形状が同一である。
これによれば、一種類の素線を使用すればよいため、製造コストを小さく抑えることができ、生産性を向上させることができる。
【００１４】
〔請求項６の手段〕
請求項６に記載の医療用処置具では、各素線は、断面形状に二等辺斜辺を有し、両斜辺傾斜角度が４５度である。
これによれば、傾斜各面での二方向への分力が均等となるため、屈曲時・ストレート時における素線の径方向への移動を円滑にすることができる。
【００１５】
〔請求項７の手段〕
請求項７に記載の医療用処置具では、処置部は、操作部による芯材のプッシュ・プル操作によって開閉作動される生検カップである。
これによれば、シース体の曲げによる長尺化が生じないため、生検カップが体腔内で目的部位に到達するまでに累積された屈曲が多い場合でも、生体組織採取の為の生検カップ開閉操作を安定して行うことができる。すなわち、シース体が屈曲しても、屈曲形態による操作ストローク不足（芯材の操作量不足）を発生させず、生検カップ開閉作動の応答性が向上する。
【００１６】
〔請求項８の手段〕
請求項８に記載の医療用処置具は、処置部は、操作部による芯材のプル操作によって縮径作動される生体組織緊縛用ループ部であることを特徴とする内視鏡用処置具構造の医療用処置具である。
これによれば、体腔内でシース体が屈曲するだけでループが緊縛してしまうという不具合を生じない。また、シース体が屈曲しても、屈曲形態による操作ストローク不足を発生させず、ループの縮径作動の応答性が向上する。
【００１７】
〔請求項９の手段〕
請求項９に記載の医療用処置具は、処置部は、操作部による芯材のプル操作によって生体組織へシース体内に収容されたクリップを留置するクリップ留置部であることを特徴とする多機能外科用器具構造の医療用処置具である。
これによれば、シース体屈曲によるシース体内部に収容されたクリップの位置変動を生じない。また、シース体が屈曲しても、屈曲形態による操作ストローク不足を発生させず、クリップの留置動作の応答性が向上する。
【００１８】
〔請求項１０の手段〕
請求項１０に記載の医療用処置具は、処置部は、操作部による回転操作によって芯材の張力を調整して可変作動される内視鏡アングル可変部であることを特徴とする内視鏡構造の医療用処置具である。
これによれば、屈曲形態による内視鏡アングルの術者の意図に反する変化を防止でき、操作ストローク不足を発生させず、内視鏡アングルの可変作動の応答性が向上する。
【００１９】
〔請求項１１の手段〕
請求項１１に記載の医療用処置具は、シース体内にセンサを内蔵したことを特徴とするセンサ付きガイドワイヤ構造の医療用処置具である。
これによれば、素線間の隙間からの乱流発生によるセンサ出力波形不安定となるという不具合が生じない。また、シース体屈曲による長尺化が生じないため、リード線断線によるモニタリング停止という不具合が生じない。
【００２０】
〔請求項１２の手段〕
請求項１２に記載の医療用処置具では、シース体は、異形密着コイル構造を有する先端側ゾーンと、先端側ゾーンの手元側に直列連結した中空撚線コイル構造を有する手元側ゾーンとからなる２ゾーン形態である。
これによれば、長さ方向に先柔後剛（先端は柔軟、後端は剛質）の傾斜特性にすることで、手元側は良好な操作性、先端側では柔軟な追従性を確保できる。
【００２１】
〔請求項１３の手段〕
請求項１３に記載の医療用処置具では、シース体は、異形密着コイル構造を有する先端側ゾーンと、先端側ゾーンの手元側に直列連結した中空撚線コイル構造を有する中間ゾーンと、中間ゾーンの手元側に直列連結した中空管構造を有する手元側ゾーンとからなる３ゾーン形態である。
これによれば、上記した請求項１２と同様の効果に加え、手元側を中空管構造としたために、手元側の回転力を先端に伝えやすくなっている。
【発明を実施するための最良の形態】
【００２２】
本発明を実施するための最良の形態は、体腔内で屈曲状態になってもコイル素線間が隙間を生じて開いて長尺化したり、曲げによる引張り荷重が生じたりせず、さらに、超音波三次元エコー下における明瞭な超音波画像を描出させることを可能とするという目的を、「断面形状が略三角形である複数の素線が交互に隣接して、隣接する素線同士の三角形の頂点位置が内径側・外径側の交互になるように螺巻きされるとともに、隣接する素線の三角形の斜辺同士が当接した相互隣接縁を有する異形密着コイル構造を有するシース体」、あるいは、「断面形状が略台形である複数の素線が交互に隣接して、隣接する素線同士の台形の上底の短辺位置が内径側・外径側の交互になるように螺巻きされるとともに、隣接する素線の台形の斜辺同士が当接した相互隣接縁を有する異形密着コイル構造を有するシース体」、あるいは、「断面形状が略台形である素線と断面形状が略三角形である素線とが交互に隣接して、隣接する素線同士の台形の上底の短辺位置と三角形の頂点位置とが内径側・外径側の交互になるように螺巻きされるとともに、隣接する素線の斜辺同士が当接した相互隣接縁を有する異形密着コイル構造を有するシース体」を備え、屈曲時に、相互隣接縁をシース体の径方向に相対滑り自在にしたことで実現した。
【実施例１】
【００２３】
〔実施例１の構成〕
図１ないし図３は、実施例１（請求項１、５〜７に対応）を示したものである。
図示左側が先端側、右側が手元側である（実施例１以降の実施例の図でも、図示左側が先端側、右側が手元側である）。
【００２４】
医療用処置具１は、先端に設けられた処置部２と、手元に設けられた操作部３と、処置部２と操作部３とを連結する芯材４と、芯材４が挿通した細長可撓性のシース体５とを備える。
本実施例の医療用処置具１は、処置部２が操作部３による芯材４のプッシュ・プル操作によって開閉作動される生検カップ２Ａである内視鏡用処置具である。
操作部３による芯材４のプッシュ・プル操作を行うことにより、シース体５内を挿通する芯材４の軸方向長さを変化させることで、シース体５及び芯材４と連結した生検カップ２Ａが開閉作動される。
【００２５】
本実施例の医療用処置具１のシース体５は、断面形状が略三角形である複数（本実施例では２本）の素線７、８を、隣接する素線７、８同士の三角形の頂点位置が内径側・外径側の交互になるように螺巻きされるとともに、隣接する素線７、８の三角形の斜辺同士が当接した相互隣接縁９を有する異形密着コイル構造を有する。隣接する斜辺同士が当接しているため、隣接する素線間には隙間がない密着コイル構造である。尚、本実施例のシース体５は、全体にわたって、異形密着コイル構造となっている。
また、本実施例では、素線７、８の断面形状は同一形状をしており、直角二等辺三角形である。そして、素線７の頂点が外径側を向いており、素線８の頂点が内径側を向いている。
【００２６】
尚、この異形密着コイル構造は、素線７、８を予め組み合わせて螺巻きして形成してもよいし、まず外径側に三角形の頂点が向くように素線７を螺巻きした後に、その外周に内径側に素線８の頂点が向くように（素線７同士間の谷に素線８の頂点が入るように）螺巻きして形成してもよい。
【００２７】
〔実施例１の作用効果〕
まず、実施例１の医療用処置具１のシース体５の作用効果を説明する。
図２（ｂ）は、従来の断面円形状の単線を所要径に密着コイル巻きした単線密着コイル構造のシース体（以下、従来シース体）Ｓを屈曲させた際の図である。
従来シース体Ｓは、単線密着コイル構造であるために、体腔内の屈曲部位で曲げ外力を受けると、曲げ中立面のコイル中心線の外側では、コイル素線Ｗが曲げによる引張り応力に比例する素線間の隙間Ｃを生じてストレート状態への復元応力を温存させたまま屈曲変形する。従って、その復元応力によって曲げ変形の両端部位が血管壁等へ強圧接して摺動挿入を続けたり、セットされるので、血管壁等の体腔壁の損傷をもたらすと共に、続いてなすべき体腔内挿入の挿入性を阻害する。
【００２８】
一方、図２（ａ）は、医療用処置具１を屈曲させた状態の説明図である。本実施例の医療用処置具１のシース体５は、断面形状が略三角形である素線７、８が交互に隣接して、隣接する素線同士の三角形の頂点位置が内径側・外径側の交互になるように螺巻きされるとともに、隣接する素線７、８の三角形の斜辺同士が当接した相互隣接縁９を有する異形密着コイル構造を有する。このため、屈曲させると、隣接する素線７、８の三角形の斜辺同士が当接した相互隣接縁９で、斜辺同士が相対滑りを生じて変形する。具体的には、相互隣接縁９において、シース体５の中心に近づく方向及び遠ざかる方向への滑りを生じる。
そして、この相対滑りにより、曲げ変形による引張り応力・圧縮応力を吸収させる。
【００２９】
このため、素線７、８の間に隙間を生じることなく容易に屈曲する。また、曲げ応力を残存させないで血管内等の屈曲形状に順応して自在に屈曲変形するとともに、ストレート状態への復元が極めて容易になる特段の直曲塑性（小なる外力で容易自在に屈曲状態及びストレート状態になり、その形状を維持する性質）が存在する。
これによれば、シース体５の体腔内での挿入進行中や挿入セット後の屈曲変形による復元反発力はほとんどなく、その屈曲変形によって血管壁等を損傷することはなく、続いてなすべき体腔内への挿入性も良好となり、従来シース体Ｓが抱える不具合を生じなない。
【００３０】
また、本実施例の医療用処置具１では、素線７、８の間に隙間を生じることなく屈曲するため、屈曲によるシース体５の長尺化を生じない。
この点を図３により説明する。従来シース体Ｓ及びシース体５の先端に芯材４の先端を固定し、芯材４の手元端を従来シース体Ｓ及びシース体５の手元端から所定長突出させたモデルで考える（図３（ａ）参照）。
ストレート状態時における従来シース体Ｓとシース体５は同じ長さであり、手元端から突出した芯材４の長さ（遊動長Ｌ）も同一である。
このモデルを屈曲させると、従来シース体Ｓでは芯材４が引き込まれ、屈曲後の芯材４の遊動長Ａ１がストレート時の遊動長Ｌよりも短く、その屈曲前後の変化量δ１（Ａ１−Ｌ）はマイナスとなる。
これに対し、本実施例のシース体５では、屈曲後の芯材４の遊動長Ａ２がストレート時の遊動長Ｌよりもわずかに長く、その屈曲前後の変化量δ２（Ａ２−Ｌ）はプラスとなる。
【００３１】
従来シース体Ｓで屈曲後の遊動長が小さくなる理由は、従来シース体Ｓを屈曲させると、前述したように、コイル素線間に隙間Ｃを生じるため従来シース体Ｓの全長が長くなり（図２（ｂ）参照）、その分芯材４が従来シース体内に引き込まれるからである。
また、本実施例のシース体５で屈曲後の遊動長がわずかに大きくなる理由は、シース体５を屈曲させると各素線７、８が相対滑り移動により素線間の隙間Ｃは発生しないため、シース体５の全長がほとんど変化せず、そして、芯材４は屈曲部においてシース体５内の屈曲内側の最短距離にて配置されるからである（図２（ａ）参照）。
【００３２】
図３（ｂ）は、上記の検討に基づき、総曲げ角度θと芯材４の遊動長の変化量δとの相関を本実施例のシース体５を用いた場合（実線）と、従来シース体Ｓを用いた場合（破線）とで比較した図である。
従来シース体Ｓでは総曲げ角度が増大するにつれて徐々に芯材４の遊動長が短くなる。このため、従来シース体Ｓを使用した場合は、体腔内で複数屈曲されると、シース体長尺化度合いが大きくなり、その長尺化により従来シース体内の芯材４の有効作動長を著しく減殺したり、屈曲部挿入進行中に芯材４に無用・有害な張力を生じて、操作部３による処置部２の作動機能を低下させ、必要な治療の治療性を損なう。
【００３３】
一方、本実施例のシース体５では総曲げ角度が増大しても、芯材４の遊動長が短くなることはなく、ほとんど変化しない。
このため、シース体５によれば、体腔内で複数屈曲されても、シース体５の長尺化が生じず、長尺化による芯材４の有効作動長の減殺、屈曲部挿入進行中の芯材４への無用・有害な張力発生といった不具合を生じず、操作部３による処置部２の作動を安定して行うことができる。
【００３４】
さらに、本実施例のシース体５には下記の特有の作用効果がある。すなわち、シース体５の有する異形密着コイル構造では、屈曲時に、相互隣接縁９において、隣接する素線７、８が交互にシース体５の中心に近づく方向及び遠ざかる方向への滑りを生じるため、シース体５の外周に素線７、８により交互に形成された凹凸１０が生じ（図２（ａ）参照）、その凹部１０ａが超音波三次元エコー下で明瞭な超音波画像を得るために必要な反射エコー部となる。
【００３５】
一般的に、超音波三次元エコー下で明瞭な超音波画像を得るためには、シース体外周面に凹部（反射エコー部）を加工することが望ましい。その理由は、凹部では生体組織に比較して超音波を反射しやすく、又、生体組織等と凹部とは音響インピーダンス（組織密度ρと音速ｃとの積ρｃ）の差が非常に大きくなるため、この境界面で超音波をほとんど反射するからである。
従来はその凹部を形成するためにシース体５の外周に溝等の凹形状を形成する加工をしなければならなかった。
本実施例のシース体５は、屈曲するだけで凹凸１０を生じ、その凹部１０ａが反射エコー部となるために、余計な加工をする必要はない。また、この凹部１０ａは連続した螺旋溝となっているため、連続した屈曲形態部として画像認識させることができる。
【００３６】
また、本実施例のシース体５では、素線７、８の断面形状は同一形状をしており、直角二等辺三角形である。
素線７、８を同一の形状にしたことにより、一種類の素線を使用すればよいため、異なる形状の素線を使用する場合と比較して、製造コストを抑えることができ、生産性を向上させることができる。
また、素線７、８の形状を直角二等辺三角形、すなわち、断面形状に二等辺斜辺を有し、両斜辺傾斜角度を４５度にしたことにより、傾斜各面での二方向への分力が均等となるため、屈曲時・ストレート時における素線７、８の滑り移動を円滑にすることができる。
【００３７】
次に、本実施例のシース体５を備える生体組織採取構造を有する内視鏡用処置具としての医療用処置具１の作用効果について説明する。
本実施例の医療用処置具１は、処置部２が操作部３による芯材４のプッシュ・プル操作によって開閉作動される生検カップ２Ａである内視鏡用処置具である。
【００３８】
この医療用処置具１の操作プロセスは、操作部３を押して芯材４をシース体内に押し込むことにより芯材４及びシース体５に連結した生検カップ２Ａを開き（図１（ａ）二点鎖線で記載）、操作部３を引いて芯材４をシース体内から引き出すことにより生検カップ２Ａを閉じることにより、目的の生体組織を挟んで採取するというものである。尚、引き動作は、手動によってもよいし、リターンスプリングによってもよい。
【００３９】
このような構造の医療用処置具１に従来シース体Ｓを使用した場合は、屈曲による長尺化を生じるため、体腔内に挿入されていく過程で、体腔内の屈曲形状に合わせた急激な曲げ変形を受けるだけで、術者の意図に反して生検カップ２Ａが開閉・回転してしまい、体腔内壁を損傷させるなどのトラブルがあった。
しかし、本実施例の医療用処置具１は、シース体５が異形密着コイル構造を有するために上記したような特有の作用効果を生じるため、生検カップ２Ａが体腔内で目的部位に到達するまでに累積された屈曲が多い場合でも、生体組織採取の為の生検カップ２Ａの開閉操作を安定して行うことができる。すなわち、シース体５が屈曲しても、屈曲形態による操作ストローク不足（芯材の操作量不足）を発生させず、生検カップ開閉作動の応答性が向上する。
【００４０】
また、屈曲による凹部１０ａ（反射エコー部）形成作用により、超音波三次元エコー下で明瞭な超音波画像を描出することができるので、生体組織採取の治療が極めて容易且つ的確に行える。
【実施例２】
【００４１】
図４は、実施例２（請求項２、５、６に対応）を示したものである。尚、実施例２以降は、実施例１と異なる点を中心に説明する。
実施例２では、シース体５を構成する素線７、８の断面形状が互いに同一形状をしており、斜辺の傾斜角度が４５度である等脚台形である。そして、素線７の上底の短辺（即ち、斜辺を除く短辺）位置が外径側を向いており、素線８の上底の短辺位置が内径側を向いている。
本実施例の医療用処置具１でも、実施例１と同様に、屈曲させると、隣接する素線７、８の台形の斜辺同士が当接した相互隣接縁９で、斜辺同士が相対滑りを生じて変形する（図４（ｂ）参照）。
【００４２】
本実施例によれば、実施例１と同様に、相対滑りにより、曲げ変形による引張り応力・圧縮応力を吸収させるとともに、シース体５の長尺化を生じない。また、屈曲によりシース体５の外周面に凹凸１０が生じ、実施例１と同様の作用効果を得ることができる。
また、実施例１と同様に、素線７、８を同一の形状にしたことによる効果、断面形状に二等辺斜辺を有し、両斜辺傾斜角度を４５度にしたことによる効果も奏する。
【実施例３】
【００４３】
図５（ａ）、（ｂ）は、実施例３（請求項４に対応）を示したものである。
本実施例では、素線７、８の断面形状がそれぞれに相似し、一方は小さく、一方が大きくなっている。
素線７、８が同一の形状をしていなくても、少なくともそれぞれが相似しているならば、２本の素線でストレートな密着コイル構造を形成することができる。
また、ストレート状態においても、シース体５の外周面に凹凸１０及び凹部１０ａを生ずる。そのため、屈曲していなくても超音波三次元エコー下で明瞭な超音波画像を得ることができる。
【実施例４】
【００４４】
図５（ｃ）は、実施例４（請求項２に対応）を示したものである。
本実施例では、シース体５を構成する素線７と素線８とは共に台形断面を有するが、素線７の断面形状の台形と、素線８の断面形状の台形とは、斜辺の傾斜角は等しいが幅や高さが異なる。
これによっても、実施例３同様、屈曲していなくても超音波三次元エコー下で明瞭な超音波画像を得ることができる。
【実施例５】
【００４５】
図５（ｄ）は、実施例５（請求項３に対応）を示したものである。
本実施例では、素線７の断面形状が略台形であり、素線８の断面形状が略三角形である。図５（ｄ）では、台形断面の素線７の上底の短辺位置が外径側を向いており、三角断面の素線８の頂点位置が内径側を向いている。これとは逆に、台形断面の素線７の上底の短辺位置が内径側を向いており、三角断面の素線８の頂点位置が外径側を向いていてもよい。
【実施例６】
【００４６】
図６は、実施例６（請求項７に対応）を示したものである。
本実施例の医療用処置具１は、実施例１と同様に、処置部２が、操作部３による芯材４のプッシュ・プル操作によって開閉作動される生検カップ２Ａである内視鏡用生体鉗子である。
本実施例の医療用処置具１も、シース体５を備える実施例１の内視鏡用処置具としての医療用処置具１と同様の作用効果を奏する。
【実施例７】
【００４７】
図７は、実施例７（請求項８に対応）を示したものである。
本実施例の医療用処置具１は、処置部２が、操作部３による芯材４のプル操作によって縮径作動される生体組織緊縛用ループ部２Ｂである内視鏡用処置具構造をしている。
【００４８】
この医療用処置具１の操作プロセスは、操作部３の押し・引き・回転操作によって、生体組織緊縛用ループ部２Ｂを拡縮させて生検組織（例えばポリープＰ）を緊縛するというものである。
【００４９】
このような構造の医療用処置具１に従来シース体Ｓを使用した場合は、体腔内に挿入されていく過程で、体腔内の屈曲形状に合わせた急激な曲げ変形を受けるだけで、芯材４が従来シース体Ｓ内へ引き込まれた状態となって、術者の意図に反して不用意に緊縛されてしまうという不具合を生じる。また、挿入過程での屈曲が累積され、目的部位に処置部２が到達した際には、シース体長尺化度合いが大きくなっており、芯材４に引張り力が発生してしまうため生体組織緊縛用ループ部２Ｂの拡縮の操作性が悪く、緊縛力不足によるポリープＰの抜けを生じたり、ポリープＰの過強緊縛の不良を生ずるトラブルがある。
【００５０】
しかし、本実施例の医療用処置具１は、シース体５が異形密着コイル構造を有するために実施例１で記載したような特有の作用効果を生じるので、生体組織緊縛用ループ部２Ｂが体腔内で目的部位に到達するまでに累積された屈曲が多い場合でも、生体組織採取の為のループ縮径操作を安定して行うことができる。すなわち、シース体５が屈曲しても、屈曲形態による操作ストローク不足（芯材の操作量不足）を発生させず、生体組織緊縛用ループ部２Ｂの縮径作動の応答性が向上し、安定した生体組織緊縛機能を発揮させることができる。
【００５１】
また、屈曲による凹部１０ａ（反射エコー部）形成作用により、超音波三次元エコー下で明瞭な超音波画像を描出することができるので、生体組織採取の治療が極めて容易且つ的確に行える。
【実施例８】
【００５２】
図８は、実施例８（請求項９に対応）を示したものである。
本実施例の医療用処置具１は、処置部２が、操作部３による芯材４のプル操作によって生体組織へシース体５内に収容されたクリップ２１を留置するクリップ留置部２Ｃである多機能外科用器具構造をしている。
【００５３】
この医療用処置具１の操作プロセスは、操作部３により、芯材４の先端をクリップ２１に設けられたクリップフック部２２に引っ掛け、芯材４を引張る操作を行うと、その反力を異形密着コイル構造のシース体５が受けて支えることによって、クリップフック部２２が伸ばされて、クリップ２１は生体組織を挟み込んだ状態で体内に留置されるというものである。
【００５４】
このような構造の医療用処置具１に従来シース体Ｓを使用した場合は、屈曲させると引張り側の素線間に隙間Ｃ（図２（ｂ）参照）を生じるので、クリップ２１がシース体５内で手元側に入り込んで、先端からのクリップ２１の位置が変動する。そして、手元操作によって圧縮反力を受けると素線間の隙間Ｃが小さくなり、その結果、操作力の大小によって医療用処置具１が揺動して消化器官等を損傷させやすい。また、目的部位に到達するまでに累積された屈曲によるシース体長尺化度合いの増大により、所定の引張りストロークを処置部２に伝達させるのが困難となり、クリップフック２２が伸ばされず体内に留置できない機能欠陥を招来する。
【００５５】
しかし、本実施例の医療用処置具１は、シース体５が異形密着コイル構造を有するために実施例１で記載したような特有の作用効果を生じるため、シース体５の屈曲によるシース体５内部に収容されたクリップ２１の位置変動を生じない。また、シース体５が屈曲しても、屈曲形態による操作ストローク不足を発生させず、クリップ２１の留置動作の応答性が向上し、安定したクリップ留置機能を発揮させることができる。
【実施例９】
【００５６】
図９は、実施例９（請求項１０に対応）を示したものである。
本実施例の医療用処置具１は、処置部２が、操作部３による回転操作によって芯材４の張力を調整して可変作動される内視鏡アングル可変部２Ｄである内視鏡構造をしている。操作部３と処置部２との間に設けられた複数（本実施例では周方向等間隔に４本）のシース体５（外套管）に芯材４が挿通している。
【００５７】
この医療用処置具１の操作プロセスは、操作部３による回転操作によって芯材４の張力を調整することで、内視鏡アングル可変部２Ｄを可変作動させ、内視鏡を向けたい方向へ向けるというものである。
【００５８】
このような構造の医療用処置具１に従来シース体Ｓを使用した場合は、体腔内に挿入されていく過程で、体腔内の屈曲形態にあわせた屈曲変形を受けるだけで、術者の意図に反して内視鏡アングルが変ってしまうという不具合を生じる。
【００５９】
しかし、本実施例の医療用処置具１は、シース体５が異形密着コイル構造を有するために実施例１で記載したような特有の作用効果を生じるので、屈曲形態による内視鏡アングルの術者の意図に反する変化を防止でき、操作ストローク不足を発生させず、内視鏡アングルの可変作動の応答性が向上する。
【実施例１０】
【００６０】
図１０は、実施例１０（請求項１１に対応）を示したものである。
本実施例の医療用処置具１は、シース体５内にセンサ２Ｅを内蔵したことを特徴とするセンサ付きガイドワイヤ構造をしている。
具体的には、本実施例の医療用処置具１は、シース体５内にリード線４Ａ（芯材に相当）を内挿すると共に、このリード線４Ａの先端に連結したセンサ２Ｅ（処置部２に相当）を備えている。
【００６１】
この医療用処置具１の操作プロセスは、操作部３を把持し、体腔内に挿入し、目的部位に到達させ、センサ２Ｅにより血圧を測定したり、血圧波をモニタリングするものである。
【００６２】
このような構造の医療用処置具１に従来シース体Ｓを使用した場合は、特に冠状動脈閉塞部の術後効果の確認のために血管へ挿入すると、血管屈曲部による曲げ変形によって従来シース体Ｓが長尺化することによりリード線４Ａが引っ張られて断線してセンサ２Ｅの機能を失うトラブルがあり、さらに、急激曲げ部位において素線間の隙間Ｃを生じさせて、血流を乱流させることがあり、この乱流によって血圧波測定が不安定波形を呈して測定性を阻害する不良現象がある。
【００６３】
しかし、本実施例の医療用処置具１は、シース体５が異形密着コイル構造を有するために実施例１で記載したような特有の作用効果を生じるので、素線間の隙間Ｃからの乱流発生によるセンサ出力波形不安定となるという不具合が生じない。また、シース体５屈曲による長尺化が生じないため、リード線４Ａ断線によるモニタリング停止という不具合も生じない。
【実施例１１】
【００６４】
図１１（ａ）は、実施例１１（請求項１２に対応）を示したものである。
本実施例の医療用処置具１では、シース体５が、異形密着コイル構造を有する先端側ゾーン５ａと、先端側ゾーンの手元側に直列連結した中空撚線コイル構造を有する手元側ゾーン５ｂとからなる２ゾーン形態である。すなわち、先端側ゾーン５ａは柔軟な異形密着コイル構造をしており、手元側ゾーン５ｂは先端側ゾーン５ａよりも剛質な中空撚線コイル構造となっている。
【００６５】
医療用処置具１は蛇行血管内・消化器官内等の屈曲細管の体腔内に深く挿入するので、長さ方向の先柔後剛の傾斜特性にして手元剛性による良好な押込み・回転操作性の確保と、先柔による体腔内への円滑挿入・深部挿入性を図るのが好ましい。
本実施例によれば、この先柔後剛による特性に加えて、実施例１で記載したような異形密着コイル構造特有の作用効果を奏することができる。
【００６６】
また、本実施例では、中空撚線コイル構造を有するため、単条コイル構造の場合とは異なり、先端側への回転伝達力を向上させることができる。
単条コイル構造の場合は、一本の素線で回転力を支える構造のため、手元の操作部３を回転させると、屈曲部の体腔内壁等との各接点・各部位間毎に異なる不均質な捩り溜まりが発生し、先端側への回転力の伝達がされにくい。
これに対して、中空撚線コイル構造では、複数本の素線を用いているため、各素線が中空撚線コイルの中心軸側へ傾斜していて、この傾斜角が単状コイル構造の場合よりも大きくなっている。このため、先端側へよりスムーズに回転力を伝達することができる。
【実施例１２】
【００６７】
図１１（ｂ）は、実施例１２（請求項１３に対応）を示したものである。
本実施例の医療用処置具１では、シース体５が、異形密着コイル構造を有する先端側ゾーン５ｃと、先端側ゾーンの手元側に直列連結した中空撚線コイル構造を有する中間ゾーン５ｄと、中間ゾーンの手元側に直列連結した中空管構造を有する手元側ゾーン５ｅからなる３ゾーン形態である。すなわち、実施例１１と同様に、先柔後剛による特性を有する。
【００６８】
本実施例でも、実施例１１と同様に、先柔後剛による特性に加えて、実施例１で記載したような異形密着コイル構造特有の作用効果を奏することができる。
また、さらに、手元側を中空管構造としたために、手元側の回転力をより先端に伝えやすくなっている。
【００６９】
なお補足すれば、中空撚線コイル構造は、複数本の素線をロープ撚線機を用いてロープ状に撚合わせて、中心材を抜いた中空形態、または、複数の素線を中空状に撚合構成した形態が好ましい。この形態のものは、撚合と同時に各素線を波付け・形付け治具を通過させることによって素線全周に加工変質層（硬化層）が形成されることにより、全長にわたって均質化できる（尚、多条線のマンドレル巻き付け工法では、多条巻回単位毎に隙間が発生しやすい）。そして、各ゾーン同士の連結はロー付け・溶接・管ピース等の工法によってなされる。
【００７０】
そして、中空撚線コイル構造の実施例として、線径０．３３ｍｍのステンレス鋼線材（オーステナイト系）を例えば１２本撚合して、コイル体外径が１．６ｍｍとなる構成とする。また、線径０．３３ｍｍの構成が、直径０．１１ｍｍの素線を７本撚合した構成としてもよい。また、ステンレス鋼線材と超弾性特性を有するニッケル−チタン合金線材の混合撚線またはいずれか一方とした撚合構成を用いてもよい。
そして、中空管構造の使用材質はステンレス鋼線材又は前記ニッケル−チタン合金線材のいずれを用いてもよい。
【００７１】
本発明に用いる異形密着コイル構造は、例えば、底辺が０．３５ｍｍ・高さ０．３ｍｍの二等辺三角形状断面を有する素線７、８の組合せ、若しくは、上底の短辺が０．３５ｍｍ・下底の長辺が０．７０ｍｍ・高さ０．３ｍｍの等脚台形状断面を有する素線７、８の組合せ、若しくは、上底の短辺が０．３ｍｍ・下底の長辺が０．９０ｍｍ・高さ０．３ｍｍ・斜辺の傾斜角度が４５度の等脚台形状断面を有する素線７、８の組合せにより、コイル体外径１．６ｍｍにコイル成形された構造とする。
【００７２】
また、使用材質はステンレス鋼線材を用い、コイル成形加工を容易にするため、二種の素線７、８の一方を熱処理により軟質材（引張り強さが８０〜１２０Ｋｇｆ／ｍｍ２）として、硬質材（引張り強さが１８０〜３００Ｋｇｆ／ｍｍ２）との組合せを用いた構造としてもよい。すなわち、素線７、８いずれか一方を熱処理により焼鈍させてもよい。熱処理条件は、６００〜９００℃で１５分〜１２０分程度で、素線径の大きさ、材質等により変動する。このようにして、機械的強度である引張強度、硬度等を各素線で異ならせ、差を設けるならば、機械的強度が低い方がもう一方となじみやすく、巻回成形加工が容易となる。
また、形状記憶特性を有する前記ニッケル−チタン合金線材を用いてもよい。
【００７３】
〔変形例〕
実施例１〜１２では、異形密着コイル構造は２本の素線７、８からなっていたが、３本以上の素線を用いて形成してもよい。
また、実施例１〜１２では、隣接する素線７、８の断面形状は、それぞれ、三角形（又は台形）の両斜辺の傾斜角度が等しく、二等辺三角形（又は等脚台形）であるが、二等辺三角形でなくてもよく、素線それぞれの三角形（台形）の両斜辺の角度が異なっていてもよい。
【００７４】
また、実施例１で反射エコー部の説明をしたが、シース体５の外周に樹脂被覆層を施して、屈曲時に形成される樹脂被覆層・素線７・素線８で囲まれる空間を反射エコー部として機能させてもよい。これによれば、より明瞭な超音波観察画像の描出ができる。
【図面の簡単な説明】
【００７５】
【図１】（ａ）は医療用処置具の側面図であり、（ｂ）は（ａ）の要部の拡大側部部分断面図である（実施例１）。
【図２】医療用処置具の屈曲時の様子を説明する図であり、（ａ）は実施例１の医療用処置具、（ｂ）は従来の医療用処置具の場合である。
【図３】（ａ）は医療用処置具屈曲時のシース体の長尺化を従来例と比較した図であり、（ｂ）は、総曲げ角度と芯材の遊動長の変化量との相関を従来例と比較した図である（実施例１）。
【図４】（ａ）は医療用処置具の要部の側部断面図であり、（ｂ）は屈曲時の様子を説明する図である（実施例２）。
【図５】医療用処置具の要部の側部断面図であり、（ａ）、（ｂ）は実施例３、（ｃ）は実施例４、（ｄ）は実施例５を示す。
【図６】医療用処置具の側面図である（実施例６）。
【図７】医療用処置具の側面図である（実施例７）。
【図８】（ａ）は医療用処置具の側面図であり、（ｂ）は作用説明図である（実施例８）。
【図９】（ａ）は医療用処置具の側面図であり、（ｂ）は（ａ）の要部の拡大側部部分断面図であり、（ｃ）は（ａ）のＡ−Ａ断面図である（実施例９）。
【図１０】医療用処置具の側面図である（実施例１０）。
【図１１】医療用処置具の要部の側部断面図であり、（ａ）は実施例１１、（ｂ）は実施例１２を示す。
【符号の説明】
【００７６】
１      医療用処置具
２      処置部
２Ａ    生検カップ
２Ｂ    生体組織緊縛用ループ部
２Ｃ    クリップ留置部
２Ｄ    内視鏡アングル可変部
２Ｅ    センサ
２１    クリップ
３      操作部
４      芯材
４Ａ    リード線
５      シース体
７      素線
８      素線
９      相互隣接縁
１０    凹凸
１０ａ  凹部
５ａ    先端側ゾーン
５ｂ    手元側ゾーン
５ｃ    先端側ゾーン
５ｄ    中間ゾーン
５ｅ    手元側ゾーン
【図１】
2008048850.tif 000003
【図２】
2008048850.tif 000004
【図３】
2008048850.tif 000005
【図４】
2008048850.tif 000006
【図５】
2008048850.tif 000007
【図６】
2008048850.tif 000008
【図７】
2008048850.tif 000009
【図８】
2008048850.tif 000010
【図９】
2008048850.tif 000011
【図１０】
2008048850.tif 000012
【図１１】
2008048850.tif 000013